(57)【要約】【課題】冷間始動直後の排気浄化を行うバイパス触媒コンバータ１８をより上流側に配置できるようにするとともに、流路切換弁４を通した排気の漏洩を防止する。【解決手段】気筒１毎に接続された４本の上流側メイン通路２が１本の下流側メイン通路３となる合流部に、４本の上流側メイン通路２を一斉に開閉する流路切換弁４が配置される。バイパス流路として、上流側メイン通路２の各々から、上流側バイパス通路１１が分岐しており、下流側バイパス通路１６の途中にバイパス触媒コンバータ１８が介装される。流路切換弁４閉時には、メイン流路が遮断される同時に、上流側メイン通路２同士が非連通状態となるが、一つの弁体が開閉する４つの弁開口部の間を仕切る第２シール面は、外周の第１シール面に対し後退しており、第２シール面を備えた隔壁部が熱膨張しても、弁体が押し開かれることがない。【選択図】図１
2006307645.tif 000002
【特許請求の範囲】
【請求項１】
各気筒にそれぞれ接続された気筒毎の上流側メイン通路と、
複数の気筒の上流側メイン通路が合流してなる下流側メイン通路と、
この下流側メイン通路もしくはこれよりも下流の流路に介装されたメイン触媒コンバータと、
上記上流側メイン通路から分岐するとともにバイパス触媒コンバータが介装されたバイパス通路と、
各気筒から排出された排気が上記バイパス通路へ流れるように、複数の上流側メイン通路と下流側メイン通路との合流部においてメイン流路の開閉を行うとともに、閉時に各上流側メイン通路相互の連通を遮断する流路切換弁と、
を備え、
上記流路切換弁は、各気筒の上流側メイン通路の端部が接続される気筒毎の弁開口部が隔壁部を挟んで隣接しており、一つの弁体が、複数の弁開口部を囲む外周に沿った第１シール面と上記隔壁部における第２シール面とに亘って着座するように構成されているとともに、上記第２シール面が上記第１シール面に対し後退方向に微小な段差を有していることを特徴とする内燃機関の排気装置。
【請求項２】
上記隔壁部は、幅の狭い直線状をなしていることを特徴とする請求項１に記載の内燃機関の排気装置。
【請求項３】
複数の弁開口部が全体として円形をなすように集合して、その外周に沿って円環状に上記第１シール面が形成され、かつこの円の内側に上記隔壁部が設けられていることを特徴とする請求項１または２に記載の内燃機関の排気装置。
【請求項４】
４つの気筒に対応した４つの弁開口部がそれぞれ四分円形状をなし、第２シール面を備えた隔壁部が十字形に構成されていることを特徴とする請求項３に記載の内燃機関の排気装置。
【請求項５】
上記弁体が上記第１シール面に対応した円形をなすことを特徴とする請求項３または４に記載の内燃機関の排気装置。
【請求項６】
上記弁体は、回転軸を中心に揺動して上記弁開口部を開閉することを特徴とする請求項１〜５のいずれかに記載の内燃機関の排気装置。
【請求項７】
上記弁体は、上記第１シール面および上記第２シール面の双方を覆う一つの平面からなるシール面を備えることを特徴とする請求項１〜６のいずれかに記載の内燃機関の排気装置。
【発明の詳細な説明】
【技術分野】
【０００１】
この発明は、触媒コンバータで排気浄化を行う内燃機関の排気装置、特に、メイン触媒コンバータが活性化していない冷間始動直後に、別の触媒コンバータを備えたバイパス流路側に排気を案内するようにした形式の排気装置の改良に関する。
【背景技術】
【０００２】
従来から知られているように、車両の床下などの排気系の比較的下流側にメイン触媒コンバータを配置した構成では、内燃機関の冷間始動後、触媒コンバータの温度が上昇して活性化するまでの間、十分な排気浄化作用を期待することができない。また一方、触媒コンバータを排気系の上流側つまり内燃機関側に近付けるほど、触媒の熱劣化による耐久性低下が問題となる。
【０００３】
そのため、特許文献１に開示されているように、メイン触媒コンバータを備えたメイン流路の上流側部分と並列にバイパス流路を設けるとともに、このバイパス流路に、別のバイパス触媒コンバータを介装し、両者を切り換える切換弁によって、冷間始動直後は、バイパス流路側に排気を案内するようにした排気装置が、従来から提案されている。この構成では、バイパス触媒コンバータは排気系の中でメイン触媒コンバータよりも相対的に上流側に位置しており、相対的に早期に活性化するので、より早い段階から排気浄化を開始することができる。
【特許文献１】特開平５−３２１６４４号公報
【発明の開示】
【発明が解決しようとする課題】
【０００４】
上記従来の排気装置では、バイパス流路は、排気マニホルドの合流点よりも下流側においてメイン流路から分岐している。つまり、多気筒内燃機関において、各気筒の排気流路が１本の流路に合流した合流点よりも下流側の部分で、メイン流路とバイパス流路とが並列に配置された構成となっている。従って、バイパス流路に介装されたバイパス触媒コンバータは、メイン触媒コンバータよりは上流側位置となるものの、各気筒の排気ポートからの距離はかなり大きく、始動直後から直ちに排気浄化を開始することができない。
【０００５】
また、排気マニホルドの下流側でバイパス流路へと分岐するので、大型部品である排気マニホルド全体の熱容量によって、バイパス流路へ流入する排気の温度が低下し、それだけバイパス触媒コンバータによる排気浄化の開始が遅れてしまう。しかも、切換弁がメイン流路側を閉塞している状態においても、各気筒で順次排気行程が到来することから、一つの気筒の排気流路から他の気筒の排気流路へと排気が回り込む現象が生じる。そのため、外部へ熱が逃げやすくなり、バイパス触媒コンバータの温度上昇が阻害される。
【課題を解決するための手段】
【０００６】
この発明に係る内燃機関の排気装置は、各気筒にそれぞれ接続された気筒毎の上流側メイン通路と、複数の気筒の上流側メイン通路が合流してなる下流側メイン通路と、この下流側メイン通路もしくはこれよりも下流の流路に介装されたメイン触媒コンバータと、上記上流側メイン通路から分岐するとともにバイパス触媒コンバータが介装されたバイパス通路と、各気筒から排出された排気が上記バイパス通路へ流れるように、複数の上流側メイン通路と下流側メイン通路との合流部においてメイン流路の開閉を行うとともに、閉時に各上流側メイン通路相互の連通を遮断する流路切換弁と、を備えている。さらに、上記流路切換弁は、各気筒の上流側メイン通路の端部が接続される気筒毎の弁開口部が隔壁部を挟んで隣接しており、一つの弁体が、複数の弁開口部を囲む外周に沿った第１シール面と上記隔壁部における第２シール面とに亘って着座するように構成されているとともに、上記第２シール面が上記第１シール面に対し後退方向に微小な段差を有している。
【０００７】
本発明の排気装置においては、バイパス通路の少なくとも上流側部分は、気筒数と同じ数の通路となっており、メイン流路の合流点よりも上流側の位置において、メイン流路つまり上流側メイン通路からそれぞれ分岐する。従って、メイン流路の合流点の位置に制約されずに、バイパス触媒コンバータをより上流側に配置することが可能となる。また、バイパス流路側へ分岐する点が各気筒に近い位置となるので、冷間始動直後などに、メイン流路の熱容量による冷却作用を比較的受けずにバイパス流路側に排気が流入する。
【０００８】
すなわち、冷間始動直後などには、上記流路切換弁が閉じ、上流側メイン通路と下流側メイン通路との間を遮断する。これにより、各気筒から吐出される排気は、バイパス触媒コンバータを備えたバイパス通路側を流れる。そして、同時に、流路切換弁は、複数の上流側メイン通路の弁開口部を個々に閉塞するので、各気筒の上流側メイン通路の相互の連通が遮断される。流路切換弁を閉状態としたときに各上流側メイン通路が互いに連通していると、各気筒で順次排気行程が到来することから、一つの気筒の上流側メイン通路から他の気筒の上流側メイン通路へと排気が回り込む現象が生じる。そのため、外部へ熱が逃げやすくなり、バイパス触媒コンバータの温度上昇が阻害される。流路切換弁の閉時に各上流側メイン通路が互いに非連通状態となるようにすることで、この回り込みの現象を回避できる。
【０００９】
このように流路切換弁の一つの弁体が複数の上流側メイン通路を同時に開閉するために、上記流路切換弁は、各気筒の上流側メイン通路の端部が接続される気筒毎の弁開口部が隔壁部を挟んで隣接して設けられており、外周の第１シール面と隔壁部上の第２シール面とに亘って弁体が着座するように構成されているが、複数の上流側メイン通路に挟まれた隔壁部が熱膨張により変形し、弁体に向かって膨出したとしても、本発明では、第２シール面が第１シール面よりも僅かに後退しているので、弁体が第１シール面から浮き上がることがない。従って、上流側メイン通路と下流側メイン通路との間が確実に遮断され、例えば冷間始動直後に未浄化の排気ガスが下流側へ漏洩することがない。なお、第２シール面が僅かに後退していることで、各弁開口部の間つまり各上流側メイン通路の間のシール性は低下するが、これは、上述した回り込みの現象に若干の影響を及ぼすに過ぎない。
【００１０】
上記隔壁部は、例えば幅の狭い直線状をなす。また一つの例では、複数の弁開口部が全体として円形をなすように集合して、その外周に沿って円環状に上記第１シール面が形成され、かつこの円の内側に上記隔壁部が設けられている。例えば、４つの気筒に対応した４つの弁開口部がそれぞれ四分円形状をなし、第２シール面を備えた隔壁部が十字形に構成されている。
【００１１】
このような場合に、上記弁体は、上記第１シール面に対応した円形に構成することができ、例えば、上記弁体は、回転軸を中心に揺動して上記弁開口部を開閉する。そして、この弁体は、例えば、上記第１シール面および上記第２シール面の双方を覆う一つの平面からなるシール面を備える。
【発明の効果】
【００１２】
この発明によれば、一般に排気マニホルドとして構成されるメイン流路の合流点の位置に制約されずに、バイパス触媒コンバータをより上流側つまり各気筒に近い位置に配置することが可能となり、しかもメイン流路を構成する排気マニホルド等の熱容量による冷却作用が低減するので、冷間始動後、早期に排気浄化作用を得ることができる。そして、バイパス通路側へ排気を案内すべく流路切換弁が閉じた状態において、メイン流路を確実に遮断することができるとともに、各気筒の上流側メイン通路の間での排気の回り込みによるバイパス触媒コンバータの昇温性能の低下を回避できる。
【発明を実施するための最良の形態】
【００１３】
以下、この発明を直列４気筒内燃機関の排気装置として適用した一実施例を図面に基づいて詳細に説明する。
【００１４】
図１はこの排気装置の配管レイアウトを模式的に示した説明図であり、始めに、この図１に基づいて、排気装置全体の構成を説明する。
【００１５】
直列に配置された♯１気筒〜♯４気筒からなる各気筒１には、気筒毎に上流側メイン通路２が接続されている。４つの気筒に個々に接続された４本の上流側メイン通路２は、下流側で１本の下流側メイン通路３として合流しており、その合流部、換言すれば、上流側メイン通路２と下流側メイン通路３との境界となる部位には、４本の上流側メイン通路２を一斉に開閉する流路切換弁４が設けられている。この切換弁４は、冷間時に閉じられるものであって、閉時には、上流側メイン通路２と下流側メイン通路３との間の上下の連通を遮断するとともに、４本の上流側メイン通路２の間を互いに非連通状態とする構成となっている。
【００１６】
流路切換弁４から下流に延びる下流側メイン通路３の途中には、メイン触媒コンバータ８が介装されている。このメイン触媒コンバータ８は、車両の床下に配置される容量の大きなものであって、その触媒としては、三元触媒とＨＣトラップ触媒とを含んでいる。以上の上流側メイン通路２と下流側メイン通路３とメイン触媒コンバータ８とによって、通常の運転時に排気が通流するメイン流路が構成される。
【００１７】
なお、メイン流路として、直列４気筒内燃機関において周知の「４−２−１」の形で集合するように、一対の上流側メイン通路２に対して１本の下流側メイン通路３をそれぞれ設け、一対の下流側メイン通路３をさらに１本の流路に合流させてメイン触媒コンバータ８を配置するようにしてもよい。この場合は、機関全体としては、２本の上流側メイン通路２を一斉に開閉する流路切換弁４を一対備えることになる。
【００１８】
一方、バイパス流路として、上流側メイン通路２の各々から、上流側バイパス通路１１が分岐している。この上流側バイパス通路１１は、上流側メイン通路２よりも通路断面積が十分に小さなものであって、その上流端となる分岐点１２は、上流側メイン通路２のできるだけ上流側の位置に設定されている。そして、互いに隣接した位置にある♯１気筒の上流側バイパス通路１１と♯２気筒の上流側バイパス通路１１とが合流点１３において１本の中間バイパス通路１４として互いに合流しており、同様に互いに隣接した位置にある♯３気筒の上流側バイパス通路１１と♯４気筒の上流側バイパス通路１１とが合流点１３において１本の中間バイパス通路１４として互いに合流している。なお、各通路を模式的に示した図１では、各上流側バイパス通路１１が比較的長く描かれているが、実際には、可能な限り短くなっている。換言すれば、最短距離でもって中間バイパス通路１４として合流している。２本の中間バイパス通路１４は、合流点１５において１本の下流側バイパス通路１６として互いに合流している。この下流側バイパス通路１６の下流端は、下流側メイン通路３のメイン触媒コンバータ８より上流側の合流点１７において、下流側メイン通路３に合流している。そして、上記下流側バイパス通路１６の途中には、三元触媒を用いたバイパス触媒コンバータ１８が介装されている。このバイパス触媒コンバータ１８は、バイパス流路の中で、可能な限り上流側に配置されている。つまり、中間バイパス通路１４もできるだけ短くなっている。
【００１９】
なお、上記実施例では、バイパス流路全体の通路長（各気筒のバイパス通路の総和）を短くして、配管自体の熱容量ならびに外気に対する放熱面積を小さくするために、４本の上流側バイパス通路１１を長く引き回さずに上流側で２本の中間バイパス通路１４にまとめているが、このような構成は任意であり、例えば、バイパス触媒コンバータ１８が気筒列の一方に偏って位置する場合などには、他方の端部気筒から直線状に延ばした上流側バイパス通路に残りの気筒の上流側バイパス通路を略直角に接続することにより、全体の通路長を短くすることができる。
【００２０】
上記バイパス触媒コンバータ１８は、その内部に、前後に分割された２つのモノリス触媒担体つまり第１触媒１８ａと第２触媒１８ｂとを備えている。そして、これらの第１触媒１８ａと第２触媒１８ｂとの間の間隙１９に、排気還流通路２０の一端が接続されている。この排気還流通路２０の他端は、図示せぬ排気還流制御弁を介して機関吸気系へと延びている。つまり、上記間隙１９が、還流排気の取り出し口となっている。上記バイパス触媒コンバータ１８は、メイン触媒コンバータ８に比べて容量が小さな小型のものであり、望ましくは、低温活性に優れた触媒が用いられる。
【００２１】
上記のように構成された排気装置においては、冷間始動後の機関温度ないしは排気温度が低い段階では、適宜なアクチュエータを介して流路切換弁４が閉じられ、メイン流路が遮断される。そのため、各気筒１から吐出された排気は、その全量が、分岐点１２から上流側バイパス通路１１および中間バイパス通路１４を通してバイパス触媒コンバータ１８へと流れる。バイパス触媒コンバータ１８は、排気系の上流側つまり気筒１に近い位置にあり、かつ小型のものであるので、速やかに活性化し、早期に排気浄化が開始される。また、このとき、流路切換弁４が閉じることで、各気筒１の上流側メイン通路２が互いに非連通状態となる。そのため、ある気筒から吐出された排気が他の気筒の上流側メイン通路２へと回り込む現象が防止され、この回り込みに伴う排気温度の低下が確実に回避される。
【００２２】
一方、機関の暖機が進行して、機関温度ないしは排気温度が十分に高くなったら、流路切換弁４が開放される。これにより、各気筒１から吐出された排気は、主に、上流側メイン通路２から下流側メイン通路３を通り、メイン触媒コンバータ８を通過する。このときバイパス流路側は特に遮断されていないが、バイパス流路側の方がメイン流路側よりも通路断面積が小さく、かつバイパス触媒コンバータ１８が介在しているので、両者の通気抵抗の差により、排気流の大部分はメイン流路側を通り、バイパス流路側には殆ど流れない。従って、バイパス触媒コンバータ１８の熱劣化は十分に抑制される。またバイパス流路側が完全に遮断されないことから、排気流量が大となる高速高負荷時には、排気流の一部がバイパス流路側を流れることで、背圧による充填効率低下を回避することができる。
【００２３】
図２は、上記の排気装置をより具体的な形態として示したものであり、シリンダブロック３２とシリンダヘッド３３とを有する内燃機関３１が、車両のエンジンルーム内に所謂横置形式に搭載されており、そのシリンダヘッド３３の車両後方となる側面に、上流側メイン通路２を主に構成する排気マニホルド３４が取り付けられている。この排気マニホルド３４の出口部には、流路切換弁４が取り付けられ、その下流に、下流側メイン通路３となるフロントチューブ３５が接続されている。メイン触媒コンバータ８は、上記フロントチューブ３５の途中に設けられている。
【００２４】
バイパス流路となるバイパス触媒コンバータ１８等は、シリンダヘッド３３から車両後方へ延びるメイン流路の下側の空間に配置されている。バイパス触媒コンバータ１８は、エンジンルーム内に位置し、かつ車両走行方向に対し、フロントチューブ３５よりも前方側となるので、走行中は走行風によって効果的に冷却され、該バイパス触媒コンバータ１８の過昇温が防止される。
【００２５】
次に、本発明の要部である流路切換弁４の構成を図３〜図６を用いて説明する。この流路切換弁４は、図３，図４に示すように、ハウジング５１を構成するバルブベース５２およびパイプ部５３と、このハウジング５１内に配置された弁体５４と、を備えている。上記弁体５４は、円盤状をなし、回転軸となるシャフト５５とともに揺動するアーム５６の先端に取り付けられている。上記バルブベース５２は、円形のバルブシート部５７を主体とし、その一側部に上記シャフト５５を回転可能に保持する筒状部５８を備えているとともに、弁体５４が開位置にあるときに該弁体５４を保持するバルブ収容部５９が、上記筒状部５８を中心にバルブシート部５７に対し略Ｌ字形に折れ曲がった形に構成されている。上記パイプ部５３は、下流側メイン通路３の上流端となるもので、先端部がベルマウス状に膨らんでいるとともに上記バルブ収容部５９に対応して一部が切り欠かれており、上記バルブシート部５７外周縁とバルブ収容部５９外周縁とに亘って接合されている。
【００２６】
図５，図６に示すように、上記バルブシート部５７は、各気筒の上流側メイン通路２の先端がそれぞれ接続される４つの弁開口部６１を有する。これらの弁開口部６１は、それぞれ四分円形状をなし、４つの弁開口部６１が集合することで、全体として円形の開口部を構成している。そして、この円形の開口部の外周を囲むように、円環状に第１シール面６２が形成されている。また、バルブシート部５７は、円を４つの弁開口部６１に仕切るように、十字形に交差した隔壁部６３を有する。この隔壁部６３は、４本の上流側メイン通路２ができるだけ接近して配置されるように、弁開口部６１間の幅が狭く、かつ一定幅の直線状をなしており、その頂面には、弁開口部６１同士を隔てるための第２シール面６４が形成されている。なお、上記弁開口部６１の第１，第２シール面６２，６４と反対側には、上流側メイン通路２となる金属管の先端が嵌合するように、段部６５が各弁開口部６１の全周に亘って形成されている。
【００２７】
上記第１シール面６２は一つの平面に沿っており、また上記第２シール面６４も一つの平面に沿っているが、上記第２シール面６４は、上記第１シール面６２に対し僅かに後退しており、両者の境界に微小な段差Δを有している。この段差Δつまり第２シール面６４の後退量は、熱膨張による隔壁部６３の変位を考慮して最適に設定されるが、例えば、０．１ｍｍ〜１．０ｍｍ程度であり、本実施例では、０．１ｍｍである。なお、これらの第１，第２シール面６２，６４を覆う弁体５４側のシール面は、単純な平面をなしている。
【００２８】
上記のような構成においては、上記シャフト５５が適宜なアクチュエータにより回転駆動されることにより上記弁体５４が揺動して弁開口部６１を開閉することになるが、閉位置においては、弁体５４の周縁部が円環状の第１シール面６２に優先的に密接し、４本の上流側メイン通路２と下流側メイン通路３との間を確実に遮断する。特に、隔壁部６３が熱膨張により弁体５４へ向かって膨出変形しても、予め第２シール面６４が第１シール面６２から僅かに後退して形成されているので、弁体５４が第１シール面６２から浮き上がることがなく、下流側メイン通路３への排気の漏洩が回避される。従って、例えば、冷間始動直後に、ＨＣを多く含む排気が下流側メイン通路３へ漏洩して外部へそのまま排出されてしまうようなことがない。上記隔壁部６３、特に、十字形に交わる円の中心部分は、バルブシート部５７の外周部に比べて剛性が低く、上流側メイン通路２となる金属管が長手方向に熱膨張すると、これに押されて軸方向つまり弁体５４に接近する方向に変位しやすい。しかも、熱的に、４本の上流側メイン通路２が集合する円の中心部分が、最も高温となりやすく、熱膨張が大きなものとなる。本発明では、このような熱膨張に起因した流路切換弁４のシール性低下を回避できる。
【００２９】
一方、第２シール面６４が僅かに後退していることから、特に上述の熱膨張が生じていない状態では、弁体５４による第２シール面６４に対するシール性は低くなるが、この第２シール面６４のシールは、４つの弁開口部６１の間つまり４本の上流側メイン通路２の間を隔てるためのものであり、これが完全でなくとも、４本の上流側メイン通路２の間で僅かに排気の流動（排気の回り込み）が生じるに過ぎない。これは、前述したようにバイパス触媒コンバータ１８の昇温性能に影響するが、実際の昇温性能の低下は極めて僅かなものである。なお、このような観点から、第２シール面６４の後退量は、上述した熱膨張による弁体５４の浮き上がりを回避し得る範囲で、できるだけ小さいことが望ましい。
【００３０】
以上、この発明を直列４気筒内燃機関に適用した一実施例を説明したが、この発明は、直列４気筒以外の直列多気筒内燃機関あるいはＶ型多気筒内燃機関等の種々の形式の内燃機関の排気装置として適用することが可能であり、また、前述したように、必ずしも全気筒の上流側メイン通路を一つの流路切換弁で開閉する構成でなくともよく、例えば、排気干渉を生じない「４−２−１」の排気レイアウト等とすることも可能である。
【図面の簡単な説明】
【００３１】
【図１】この発明に係る排気装置の一実施例を示す構成説明図。
【図２】より具体的に示した排気装置の側面図。
【図３】流路切換弁の断面図。
【図４】流路切換弁の斜視図。
【図５】バルブベースの斜視図。
【図６】バルブシート部の断面図。
【符号の説明】
【００３２】
２…上流側メイン通路
３…下流側メイン通路
４…流路切換弁
８…メイン触媒コンバータ
１１…上流側バイパス通路
１６…下流側バイパス通路
１８…バイパス触媒コンバータ
５７…バルブシート部
６１…弁開口部
６２…第１シール面
６３…隔壁部
６４…第２シール面
【図１】
2006307645.tif 000003
【図２】
2006307645.tif 000004
【図３】
2006307645.tif 000005
【図４】
2006307645.tif 000006
【図５】
2006307645.tif 000007
【図６】
2006307645.tif 000008